【事件の表示】
　特許第２９５０７６２号「毛髪脱色剤」の請求項１〜４に係る特許に対する特許異議の申立てについて、次のとおり決定する。
【結　論】
　訂正を認める。
　特許第２９５０７６２号の請求項１〜３に係る特許を取り消す。
【理　由】
１．手続きの経緯
　本件特許第２９５０７６２号に係る発明は、平成７年８月３０日に特許出願され、平成１１年７月９日に特許権が設定登録された。その後、特許異議申立人中島理、特許異議申立人千葉恭弘、特許異議申立人森敏生、特許異議申立人赤松善弘により特許異議申立てがなされ、特許の取消しの理由が通知された後、意見書提出の指定期間内である平成１２年１０月１７日に明細書の訂正請求がされた。その後、さらに当審により特許権者に対して審尋（平成１３年１月９日発送）がされたが、これに対する応答はされなかった。
　
２．訂正請求について
（１）訂正の内容
訂正事項ａ　
特許請求の範囲の請求項１の
「【請求項１】過硫酸塩、酸化剤およびアルカリ剤を用いる毛髪脱色剤において、高級アルコールを含み、並びにその使用時における低級アルコールおよび多価アルコールの総量が１０％以下であることを特徴とする毛髪脱色剤。」
を
「【請求項1】過硫酸塩、酸化剤、アンモニア、高級アルコールを含み、その使用時における低級アルコールおよび多価アルコールの総量が１０％以下である毛髪脱色剤において、高級アルコールとアンモニアを含む第１剤、高級アルコールを含まず酸化剤を含む第2剤、過硫酸塩を含む粉末の第3剤からなり、第３剤を第２剤に溶解後、第１剤を加えて良く混合して毛髪脱色を行う毛髪脱色剤。」
に訂正する。
　
訂正事項ｂ
　特許請求の範囲の請求項２の
「【請求項２】高級アルコールとアルカリ剤を含む第１剤、酸化剤を含む第２剤、過硫酸塩を含む第３剤からなることを特徴とする請求項１記載の毛髪脱色剤。」
を
「【請求項2】酸化剤が過酸化水素、過炭酸ナトリウム、硫酸ナトリウム、過酸化水素付加物およびピロリン酸ナトリウム・過酸化水素付加物からなる群から選ばれることを特徴とする請求項1記載の毛髪脱色剤。」
に訂正する。
　
訂正事項ｃ　
特許請求の範囲の請求項３の
「【請求項３】酸化剤が過酸化水素、過炭酸ナトリウム、硫酸ナトリウム・過酸化水素付加物およびピロリン酸ナトリウム・過酸化水素付加物からなる群から選ばれることを特徴とする請求項１又は２記載の毛髪脱色剤。」
を
「【請求項3】カチオン性界面活性剤、またはカチオン化ポリマーの１種または２種以上を含むことを特徴とする請求項1又は2記載の毛髪脱色剤。」
に訂正する。
　
訂正事項ｄ　
　特許請求の範囲の請求項４の
「【請求項４】カチオン性界面活性剤、またはカチオン化ポリマーの１種または２種以上を含むことを特徴とする請求項１から３のいずれか１項に記載の毛髪脱色剤。」を削除する。
　
訂正事項e
　段落０００８の、
「すなわち、本発明は、過硫酸塩、酸化剤およびアルカリ剤を用いる毛髪脱色剤において、高級アルコールを含み、並びにその使用時における低級アルコールおよび多価アルコールの総量が１０％以下であることを特徴とする毛髪脱色剤である。」
を、
「すなわち、本発明は、過硫酸塩、酸化剤、アンモニア、高級アルコールを含み、その使用時における低級アルコールおよび多価アルコールの総量が１０％以下である毛髪脱色剤において、高級アルコールとアンモニアを含む第１剤、高級アルコールを含まず酸化剤を含む第２剤、過硫酸塩を含む粉末の第３剤からなり、第３剤を第２剤に溶解後、第２剤を加えて良く混合して毛髪脱色を行うことを特徴とする毛髪脱色剤である。」
と訂正する。
　
訂正事項ｆ
段落００１０の、
「また、この高級アルコールは１剤式から３剤式に関わらずいずれにも配合することができる。」
を削除する。
　
訂正事項ｇ
段落００１４の
「本発明で対象となる毛髪脱色剤としては、例えば、前述したａ〜ｃの1剤ないし３剤式のものが挙げられる。また、これらの脱色剤の形態は通常、粉末または液状の他、クリーム状、ペースト状、ゲル状のものでも差し支えない。しかし、本発明が高級アルコールを必須成分としていることから、クリーム製剤が最も好ましく、１、２剤のどちらか一方、または両方ともクリーム剤型で、そこに過硫酸塩を含む粉末を添加して使用する3剤式が、特に脱色効果の点から好ましい。」
を削除する。
　
訂正事項ｈ
段落００１５の
「本発明においては、過硫酸塩、酸化剤およびアルカリ剤を用いる毛髪脱色剤において、高級アルコールを含み、並びにその使用時における低級アルコールおよび多価アルコールの総量が１０％以下であることを必須の要件とするものであり、この条件が満たされることで、強く、均一な脱色効果が得られるものである。」
を、
「本発明においては、過硫酸塩、酸化剤およびアルカリ剤としてアンモニアを用いる毛髪脱色剤において、高級アルコールを含み、並びにその使用時における低級アルコールおよび多価アルコールの総量が１０％以下であることを必須の要件とするものであり、この条件が満たされることで、強く、均一な脱色効果が得られるものである。」
と訂正する。
　
訂正事項i
段落００２９の、
「アルカリ剤を」
を、
「アルカリ剤としてアンモニアを」
と訂正する。
　
訂正事項
段落００３０の、
「アルカリ剤としては、例えば、アンモニア、モノエタノールアミン、炭酸ナトリウム、ケイ酸ナトリウムなどが挙げられ、」
を削除する。
　
訂正事項ｋ
　段落００３５〜００３８及び段落００４０の、
「実施例３」「実施例４」「実施例５」．「実施例６」「実施例８」
を、
「参考例１」「参考例２」「参考例３」「参考例４」「参考例５」
　と訂正する。
　
訂正事項1
段落００４１の、
「過硫酸塩、酸化剤およびアルカリ剤を用いる毛髪脱色剤で、その処方中に、高級アルコールを含み、並びにその使用時における低級アルコールおよび多価アルコールの総量を１０％以下にすることで、」
を削除する。
　
（２）訂正の適否について
　訂正事項ａは、特許請求の範囲の請求項１において、アルカリ剤をアンモニアに限定すると共に、「高級アルコールとアンモニアを含む第１剤、高級アルコールを含まず酸化剤を含む第２剤、過硫酸鉛を含む粉末の第３剤からなり、第３剤を第２剤に溶解後、第 １剤を加えて良く混合して毛髪脱色を行う」との要件を追加するものであるから、特許請求の範囲の減縮を目的とする訂正である。
　
　訂正事項ｂは、特許請求の範囲の請求項２において、訂正前の請求項３に記載されたとおりに酸化剤を具体的化合物に特定するものであるから、特許請求の範囲の減縮を目的とする訂正である。
　
　訂正事項ｃは、特許請求の範囲の請求項３において、訂正前の請求項４に記載されたとおりにカチオン界面活性剤、またはカチオンかポリマーの１週又は２種以上を含むという要件を付加するものであるから、特許請求の範囲の減縮を目的とする訂正である。
　
　訂正事項ｄは、特許請求の範囲の請求項４を削除するものであるから、特許請求の範囲の減縮を目的とする訂正である。
　
　訂正事項ｅ〜ｌは、訂正事項ａ〜ｄによって特許請求の範囲が減縮されたことに伴い、発明の詳細な説明の対応部分の整合を図るものであるので、明りょうでない記載の釈明を目的とする訂正である。
　
　そして、訂正事項ａ〜ｌは、明細書に記載した事項の範囲内での訂正であり、特許請求の範囲を実質的に拡張し、又は変更するものでもない。
　
　したがって、本件訂正は、特許法第１２０条の４第２項及び同条第３項において準用する同条第１２６条第２項から第３項の規定に適合するので、訂正を認める。
　
３．特許異議の申立てについての判断
（１）本件発明
　上記２．に示したように本件訂正は認められるから、本件特許の請求項１〜３に係る発明は、訂正明細書の特許請求の範囲の請求項１〜３に記載された事項により特定された次のとおりのものである。
　
【請求項１】過硫酸塩、酸化剤、アンモニア、高級アルコールを含み、その使用時における低級アルコールおよび多価アルコールの総量が１０％以下である毛髪脱色剤において、高級アルコールとアンモニアを含む第1剤、高級アルコールを含まず酸化剤を含む第２剤、過硫酸鉛を含む粉末の第３剤からなり、第３剤を第２剤に溶解後、第 1剤を加えて良く混合して毛髪脱色を行う毛髪脱色剤。
　
【請求項２】酸化剤が過酸化水素、過炭酸ナトリウム、硫酸ナトリウム、過酸化水素付加物およびピロリン酸ナトリウム・過酸化水素付加物からなる群から選ばれることを特徴とする請求項1記載の毛髪脱色剤。
　
【請求項３】カチオン性界面活性剤、またはカチオン化ポリマーの１種または２種以上を含むことを特徴とする請求項１又は２記載の毛髪脱色剤。
  　
（２）刊行物に記載された発明
　当審で通知した取消理由で引用した刊行物には、それぞれ以下の事項が記載されている。
　
刊行物１ 特開平２−１９３９１１号公報(特許異議申立人中島理の提出した甲第１号証、特許異議申立人千葉恭弘の提出した甲第２号証、特許異議申立人森敏生の提出した甲第２号証、特許異議申立人赤松善弘の提出した甲第２号証)
　第５頁右上欄５行〜右下欄1行には、第１剤、第２剤及び活性化剤からなり、第１剤にアンモニア、イソプロパノール（１４重量％）及び第４級窒素含有セルロースエーテル、第２剤に過酸化水素及びセチルアルコール、活性化剤に過硫酸アンモニウムを含む毛髪脱色剤が開示されており、「第１剤５０ｇに活性化剤２５ｇを添加し、次いで、第２剤１００ｇと混合したものを毛髪に塗布して脱色処理を行ったところ、・・・・毛髪の仕上がりに優れた結果を得た。」と記載されている。
　
刊行物２　特開昭５５−８５５１２号公報(特許異議申立人中島理の提出した甲第２号証、特許異議申立人千葉恭弘の提出した甲第3号証、特許異議申立人森敏生の提出した甲第1号証)
　第８頁右上欄には、「漂白試験を次の通り行った。活性化剤２３ｇを６％過酸化水素水溶液４オンスに添加し、振とうした。次に試験ローション６０ｇを添加し、十分混合するまで振とうした。」と記載され、また、第１０頁の左上欄の例１の欄には、３成分系の漂白組成物について、「活性化剤をローションと混合し、ローション活性化剤混合物に過酸化物展開剤を添加した。」と記載されている。そして、第12頁左下欄〜第13頁左上欄の実施例6には、水酸化アンモニウム（５９％水溶液）（第３頁右上欄第1〜3行目の記載から、これがアンモニアの水溶液であることは明らかである。)、エタノール（１．１５重量％）を含むローション、過酸化水素（５０％水溶液）及びセチルアルコールを含む展開剤、過硫酸カリウム、過硫酸アンモニウム、過硫酸ナトリウムを含む活性化剤からなる３成分系の毛髪漂白組成物が開示され、「ローション６０グラム、展開剤１２０グラム及び活性化剤２９グラムを前述のとおり混合した。」と記載されている。
　
刊行物３ 特開平２−２３４９７１号公報(特許異議申立人中島理の提出した甲第３号証)
　第３頁の実施例３には、アンモニアを含む第１剤、セチルアルコール、過酸化水素を含む第２剤、過硫酸ナトリウム、過硫酸カリウムを含む第３剤を用い、第１剤７０グラムに第３剤３０グラムを添加し、次いでこれに第２剤１００グラムを混合する脱色剤組成物が記載されている。
　第３頁の実施例４には、イソプロバノール（１４重量％）、アンモニアを含む第１剤、セチルアルコール、過酸化水素を含む第２剤、過硫酸アンモニウム、過硫酸カリウムを含む第３剤を用い、第１剤５０グラムに第３剤２５グラムを添加し、次いでこれに第２剤１００グラムを混合した脱色剤組成物が記載されている。
　第１頁右欄第９〜１５行目には、酸化剤として、過酸化水素、過炭酸ナトリウム、硫酸ナトリウム・過酸化水素付加物、ピロリン酸ナトリウム・過酸化水素付加物が記載されている。
　第2頁左上欄下から第5行目〜末行には、脱色剤組成物に第4級窒素含有セルロースエーテルを含めれば、より優れた仕上がりが得られることが記載されている。
　
　刊行物４ 特開平４−２７９５１４号公報(特許異議申立人赤松善弘の提出した甲第1号証、特許異議申立人千葉恭弘の提出した甲第1号証)　
　第４頁【００２５】〜【００２９】欄の実施例３には、セトステアリルアルコールと炭酸水素アンモニウム及びグリセリン（３．０重量％）を含む第1剤、過酸化水素水を含む第2剤、過硫酸アンモニウム粉末を含む第３剤からなる毛髪用脱色剤が開示され、「第１剤、第２剤をそれぞれ６０ｇずつ採ってよく混合し、ｐＨ調節剤として燐酸を加えてｐＨが６．８となるよう調整した。これに第３剤を３ｇ加えて良く混合した。」と記載されている。
　
刊行物５ 特開平１−３０８２１５号公報(特許異議申立人中島理の提出した甲第４号証)
　第１０頁の実施例５には、クリーム状の毛髪脱色剤（２剤式）が記載されており、第１剤にはアンモニア水、セトステアリルアルコール、塩化ステアリルトリメチルアンモニウム及び塩化ジアルキルジメチルアンモニウムが含まれている。
　　
３）対比・判断
ａ．本件特許の請求項１に係る発明について
　刊行物１〜２に記載された発明と本件発明を対比すると、いずれも第１剤がアンモニアを含み、第２剤が過酸化水素などの酸化剤を含み、第３剤が過硫酸塩を含む粉末である３剤式の毛髪脱色剤であり、高級アルコールを含有する点及び使用時における低級アルコールと多価アルコールの総和が１０％以下である点で一致しているが、本件発明の毛髪脱色剤が、高級アルコールを第１剤に含み第２剤には含まないものであるのに対し、刊行物１〜２の毛髪脱色剤は、高級アルコールを第２剤に含み第１剤には含んでいない点、及び本件発明では、毛髪脱色を行うに当たり、第３剤を第２剤に溶解し、次いで第１剤を加えるのに対し、刊行物１〜２では、第３剤を第１剤に溶解し、次いで第２剤を加える点で相違している。
　
　そこで、この相違点について検討すると、毛髪脱色剤に高級アルコールを配合する場合において、アルカリ側に加えるか酸化剤側に加えるか或いはその両者に加えるかは、当業者が適宜に選択できるものであり、アルカリ剤側に加えた刊行物４及び５の記載からみても、アンモニア水を含む第１剤（アルカリ剤）側に高級アルコールを含むことを妨げる格別の事由は認められない。また、３剤式の毛髪脱色剤により、毛髪を脱色するに際しての混合順序も、当業者が適宜に選択できるものであり、本件訂正明細書の参考例、特に刊行物１〜２と同様に酸化剤側に高級アルコールを含む参考例３及び４（訂正前の実施例５及び６）の記載からみても、本件毛髪脱色剤が刊行物１〜２に記載されたものに比べて、予期できない程顕著な効果を奏するものとは認めることができない。
　
請求項２について
　刊行物１〜５でも使用されているように、過酸化水素は、毛髪脱色剤用の酸化剤として、最も代表的なものである。また、刊行物３に例示されているように過炭酸ナトリウム、硫酸ナトリウム・過酸化水素付加物およびピロリン酸ナトリウム・過酸化水素付加物も漂白組成物用の酸化剤として知られている。
　
請求項３について
　刊行物１には、カチオン化ポリマーの１種である第４級窒素含有セルロースエーテルを配合した毛髪脱色剤が、また、刊行物５には、カチオン性界面活性剤の一種である、塩化ステアリルトリメチルアンモニウム及び塩化ジアルキルジメチルアンモニウムが配合された毛髪脱色剤が記載されており、カチオン性界面活性剤、またはカチオン化ポリマーを毛髪脱色剤に配合することは、当業者が適宜に行うことと認められる。
　
４．むすび
　以上のとおりであるから、本件特許の請求項１〜３に係る発明は、甲第１号証〜甲第５号証に記載された発明に基づいて、当業者が容易に発明できたものと認められる。
　したがって、本件特許の請求項１〜３に係る特許は、特許法第２９条第２項の規定に違反してされたものであるので、特許法第１１３条第２号の規定に該当し、取り消されるべきものである。
　よって、結論のとおり決定する。
【異議決定日】
平成１３年８月１日（２００１．８．１）
【訂正の要旨】
訂正の要旨
訂正事項ａ
　特許請求の範囲の減縮を目的として、特許請求の範囲の請求項１の
「【請求項１】　過硫酸塩、酸化剤およびアルカリ剤を用いる毛髪脱色剤において、高級アルコールを含み、並びにその使用時における低級アルコールおよび多価アルコールの総量が１０％以下であることを特徴とする毛髪脱色剤。」
を
「【請求項１】　過硫酸塩、酸化剤、アンモニア、高級アルコールを含み、その使用時における低級アルコールおよび多価アルコールの総量が１０％以下である毛髪脱色剤において、高級アルコールとアンモニアを含む第１剤、高級アルコールを含まず酸化剤を含む第２剤、過硫酸塩を含む粉末の第３剤からなり、第３剤を第２剤に溶解後、第１剤を加えて良く混合して毛髪脱色を行う毛髪脱色剤。」
に訂正する。
訂正事項ｂ
　特許請求の範囲の減縮を目的として、特許請求の範囲の請求項２の
「【請求項２】　高級アルコールとアルカリ剤を含む第１剤、酸化剤を含む第２剤、過硫酸塩を含む第３剤からなることを特徴とする請求項１記載の毛髪脱色剤。」
を
「【請求項２】　酸化剤が過酸化水素、過炭酸ナトリウム、硫酸ナトリウム、過酸化水素付加物およびピロリン酸ナトリウム・過酸化水素付加物からなる群から選ばれることを特徴とする請求項１記載の毛髪脱色剤。」
に訂正する。
訂正事項ｃ
　特許請求の範囲の減縮を目的として、特許請求の範囲の請求項３の
「【請求項３】　酸化剤が過酸化水素、過炭酸ナトリウム、硫酸ナトリウム・過酸化水素付加物およびピロリン酸ナトリウム・過酸化水素付加物からなる群から選ばれることを特徴とする請求項１又は２記載の毛髪脱色剤。」
を
「【請求項３】　カチオン性界面活性剤、またはカチオン化ポリマーの１種または２種以上を含むことを特徴とする請求項１又は２記載の毛髪脱色剤。」
に訂正する。
訂正事項ｄ
　特許請求の範囲の減縮を目的として、特許請求の範囲の請求項４の
「【請求項４】　カチオン性界面活性剤、またはカチオン化ポリマーの１種または２種以上を含むことを特徴とする請求項１から３のいずれか１項に記載の毛髪脱色剤。」を削除する。
訂正事項ｅ
　明りょうでない記載の釈明を目的として、　段落０００８の、
「すなわち、本発明は、過硫酸塩、酸化剤およびアルカリ剤を用いる毛髪脱色剤において、高級アルコールを含み、並びにその使用時における低級アルコールおよび多価アルコールの総量が１０％以下であることを特徴とする毛髪脱色剤である。」
　を、
「すなわち、本発明は、過硫酸塩、酸化剤、アンモニア、高級アルコールを含み、その使用時における低級アルコールおよび多価アルコールの総量が１０％以下である毛髪脱色剤において、高級アルコールとアンモニアを含む第１剤、高級アルコールを含まず酸化剤を含む第２剤、過硫酸塩を含む粉末の第３剤からなり、第３剤を第２剤に溶解後、第１剤を加えて良く混合して毛髪脱色を行うことを特徴とする毛髪脱色剤である。」
　と訂正する。
訂正事項ｆ
　明りょうでない記載の釈明を目的として、　段落００１０の、
「また、この高級アルコールは１剤式から３剤式に関わらずいずれにも配合することができる。」
を削除する。
訂正事項ｇ
　明りょうでない記載の釈明を目的として、段落００１４の
「本発明で対象となる毛髪脱色剤としては、例えば、前述したａ〜ｃの１剤ないし３剤式のものが挙げられる。また、これらの脱色剤の形態は通常、粉末または液状の他、クリーム状、ペースト状、ゲル状のものでも差し支えない。しかし、本発明が高級アルコールを必須成分としていることから、クリーム製剤が最も好ましく、１、２剤のどちらか一方、または両方ともクリーム剤型で、そこに過硫酸塩を含む粉末を添加して使用する３剤式が、特に脱色効果の点から好ましい。」
を削除する。
訂正事項ｈ
　明りょうでない記載の釈明を目的として、段落００１５の
「本発明においては、過硫酸塩、酸化剤およびアルカリ剤を用いる毛髪脱色剤において、高級アルコールを含み、並びにその使用時における低級アルコールおよび多価アルコールの総量が１０％以下であることを必須の要件とするものであり、この条件が満たされることで、強く、均一な脱色効果が得られるものである。」
を、
「本発明においては、過硫酸塩、酸化剤およびアルカリ剤としてアンモニアを用いる毛髪脱色剤において、高級アルコールを含み、並びにその使用時における低級アルコールおよび多価アルコールの総量が１０％以下であることを必須の要件とするものであり、この条件が満たされることで、強く、均一な脱色効果が得られるものである。」
と訂正する。
訂正事項ｉ
　明りょうでない記載の釈明を目的として、段落００２９の、
「アルカリ剤を」
を、
「アルカリ剤としてアンモニアを」
と訂正する。
訂正事項
　明りょうでない記載の釈明を目的として、段落００３０の、
「アルカリ剤としては、例えば、アンモニア、モノエタノールアミン、炭酸ナトリウム、ケイ酸ナトリウムなどが挙げられ、」
を削除する。
訂正事項ｋ
　明りょうでない記載の釈明を目的として、段落００３５〜００３８及び段落００４０の、
「実施例３」「実施例４」「実施例５」．「実施例６」「実施例８」
を、
「参考例１」「参考例２」「参考例３」「参考例４」「参考例５」
　と訂正する。
訂正事項１
　明りょうでない記載の釈明を目的として、段落００４１の、
「過硫酸塩、酸化剤およびアルカリ剤を用いる毛髪脱色剤で、その処方中に、高級アルコールを含み、並びにその使用時における低級アルコールおよび多価アルコールの総量を１０％以下にすることで、」
を削除する。
（５４）【発明の名称】
毛髪脱色剤
（５７）【特許請求の範囲】
　【請求項１】　過硫酸塩、酸化剤
、アンモニア、高
、そ
毛髪脱色剤において、
　高級アルコールとアンモニアを含む第１剤、高級アルコールを含まず酸化剤を含む第２剤、過硫酸塩を含む粉末の第３剤からなり、第３剤を第２剤に溶解後、第１剤を加えて良く混合して毛髪脱色を行う
　【請求項２】　
酸化剤が過酸化水素、過炭酸ナトリウム、硫酸ナトリウム・過酸化水素付加物およびピロリン酸ナトリウム・過酸化水素付加物からなる群から選ばれることを特徴とする請求項１
　【請求項３】　
カチオン性界面活性剤、またはカチオン化ポリマーの１種または２種以上を含むことを特徴とする請求項１又は２
【発明の詳細な説明】
　【０００１】
　【産業上の利用分野】
　本発明は毛髪脱色剤に関するもので、詳しくは、毛髪の損傷が少なく、しかも、強く、均一な脱色効果が得られる毛髪脱色剤に関するものである。
　【０００２】
　【従来の技術】
　従来、脱色効果の強い過硫酸塩を含有する毛髪脱色剤としては、下記のａ〜ｃのタイプのものが一般的に知られている。
　【０００３】
ａ）アルカリ剤および界面活性剤を含む液状またはクリーム状第１剤、酸化剤を含む液状またはクリーム状第２剤、そして、過硫酸塩を含む粉末状活性化剤からなり、第１剤に活性化剤を添加した後、第２剤と混合して使用する３剤式毛髪脱色剤。
ｂ）過硫酸塩、アルカリ剤および増粘剤を含む粉末状第１剤を、酸化剤を含む液状またはクリーム状第２剤に溶解して使用する２剤式毛髪脱色剤。
ｃ）過硫酸塩、酸化剤、アルカリ剤および増粘剤を含む粉末状混合物を、水に溶解して使用する１剤式毛髪脱色剤。
　【０００４】
　アルカリ剤および酸化剤を含む脱色剤に、さらに過硫酸塩を配合し脱色力をより強力にした毛髪脱色剤を使用する場合、毛髪は根元部分の温度が体温に近いのに対し、毛先部分は外気温に近いため、温度の高い根元部分が強く脱色され、毛髪の根元から毛先まで均一に脱色することが難しいという欠点があった。従って、これらの毛髪脱色剤を用いて、均一な仕上がりを得ようとする場合、温度の影響による毛髪脱色力を調節するために、先に薬液を温度の低い毛先部分に塗布、次に、一定時間をおいて温度の高い根元部分に塗布するといった操作が必要であった。
　【０００５】
　また、これらの毛髪脱色剤の作用メカニズムは、発生期の酸素により、毛髪の色調を決定している色素のメラニン顆粒を酸化分解するもので、黒色を褐色から黄色にすることができる。しかし、毛髪の皮質あるいはケラチン自体も、この酸化分解反応を受ける恐れがある。例えば、Ｈ．Ｚａｈｎは、このケラチンの酸化は、先ず毛髪の構造を保つのに重要なシスチン結合において起こると報告している（Ｊ．Ｓｏｃ．Ｃｏｓｍｅｔ．Ｃｈｅｍ．Ｖｏｌ．１７，ｐ．６８７，１９６６）。また、Ｃ．Ｒｏｂｂｉｎｓらの報告によると、他のアミノ酸残基も、同様に酸化されているとしている（Ｊ．Ｓｏｃ．Ｃｏｓｍｅｔ．Ｃｈｅｍ．Ｖｏｌ．２０，ｐ．５５５，１９６９）。その結果、発生期の酸素によるメラニン顆粒の酸化分解反応は、毛髪ケラチンに対しても重大な損傷を与えてしまい、毛髪は、パサツキ、ゴワツキ、毛切れなどが起こり、外観的には艶のない毛髪になるという問題があった。
　【０００６】
　【発明が解決しようとする課題】
　このため、これらの強力タイプの毛髪脱色剤を使用する場合、特に自分自身で毛髪脱色操作を行う場合には、仕上がりに大きなムラが生じたり、毛髪損傷を引き起こすことが多かった。そのため、アルカリ剤と過酸化水素水からなる弱いタイプの毛髪脱色剤を使用するか、または専門技術を持った美容師に操作を依頼することが必要となり、容易に強い毛髪の脱色を行うことは難しかった。従って、特に技術的な操作を必要とせず、強く、均一な仕上がりで、しかも毛髪損傷の少ない毛髪脱色剤の開発が望まれていた。
　【０００７】
　そこで本発明は、強く、均一な脱色効果が得られ、しかも毛髪の損傷が少ない毛髪脱色剤を提供することを目的とする。
　【０００８】
　【課題を解決するための手段】
　本発明者は、上記実状に鑑み、従来の過硫酸塩を含む脱色効果の強い毛髪脱色剤の欠点を解決すべく鋭意検討の結果、高級アルコールを配合することによって、毛髪上での薬液の広がり、浸透を効果的にすること、また使用時に低級アルコールまたは多価アルコールを用いないか、または用いたとしてもその濃度を低くすることによって、脱色力が温度の影響を受けにくくなることを見い出した。さらに、この高級アルコールを配合し、低級アルコールまたは多価アルコールを用いないか、または用いたとしてもその濃度を低くすることによって、強く、かつ毛先から根元まで均一な毛髪脱色効果が得られることを見い出し、本発明を完成するに至った。すなわち、本発明は、過硫酸塩、酸化剤
、アンモニア、高
、そ
毛髪脱色において、高級アルコールとアンモニアを含む第１剤、高級アルコールを含まず酸化剤を含む第２剤、過硫酸塩を含む粉末の第３剤からなり、第３を第２剤に溶解後、第１剤を加えて良く混合して毛髪脱色を行う
　【０００９】
　以下、本発明を詳細に説明する。
　本発明に用いられる高級アルコールとは、炭素数６以上の１価アルコールで、ラウリルアルコール、セタノール、セトステアリルアルコール、ステアリルアルコール、オレイルアルコール、ベヘニルアルコール、ラノリンアルコール、水添ラノリンアルコール、ヘキシルドデカノール、オクチルドデカノールなどが挙げられる。
　【００１０】
　高級アルコールの毛髪脱色剤への配合量は、使用時濃度で通常０．０１〜１０重量％であり、０．０１重量％未満では均一な脱色効果が得ることはできず、また１０重量％を越えて配合してもそれ以上の効果は期待できない。なお、配合量の下限については、０．１重量％が好ましく、０．１重量％以上配合することにより、より強く均一な脱色効果が得られる。上限については、５重量％が好ましく、５重量％を越えた場合は脱色効果の上昇は少なくなる
。
　【００１１】
　一方、低級アルコールとは、炭素数１〜５の鎖式アルコールであり、多価アルコールとは、分子中に２個以上の水酸基を有するアルコールで、低級アルコール、多価アルコールともに、主に溶剤として用いられている化粧品原料である。例えば、低級アルコールとしては、エタノール、イソプロピルアルコールなどが、また多価アルコールとしては、エチレングリコール、ポリエチレングリコール、プロピレングリコール、グリセリン、ソルビトールなどが一般的によく使われている。化粧品原料として、低級アルコール、多価アルコールなどの溶剤は、保湿効果、製品安定化効果、増粘効果などに優れるため、不可欠な配合成分と考えられてきている。しかし、毛髪脱色剤において、その使用時濃度での配合量が、１０％を越えると、脱色効果が著しく低下する。しかも、図１に示すようにその脱色力の低下度合いは、毛髪の温度が低いほど大きく、温度の高い毛髪根元部分と低い毛先部分とでは、脱色後の明るさにかなりの違いが生じてしまう。
　【００１２】
　【図１】
　さらに、本発明の必須成分の過硫酸塩としては、過硫酸ナトリウム、過硫酸カリウム、過硫酸アンモニウムが挙げられる。その配合量は使用時の濃度で通常、１〜５０重量％、脱色効果の点から特に好ましくは、５〜２０重量％である。
　【００１３】
　また、酸化剤としては、過酸化水素、過炭酸ナトリウム、硫酸ナトリウム・過酸化水素付加物、ピロリン酸ナトリウム・過酸化水素付加物が挙げられる。その配合量は使用時の濃度で通常、０．１〜２０重量％、脱色効果の点から特に好ましくは、１〜１０重量％である。
　【００１４】
　【００１５】
　本発明においては、過硫酸塩、酸化剤およびアルカリ剤
としてアンモニア
　【００１６】
　さらに、その組成にカチオン性界面活性剤またはカチオン化ポリマーを配合した場合、これらの毛髪への付着を妨げる低級アルコール、多価アルコールが少ないため、毛髪表面に皮膜を形成する効果が著しく高まり、毛髪内部のケラチンタンパクを保持するという良好な毛髪保護作用を有し、特に、すすぎ時の指通りのなめらかさ、仕上がりの感触が極めて良くなること、その上、脱色後の毛髪色調の変化が少なくなることも併せて見い出した。
　【００１７】
　本発明で用いられるカチオン化ポリマーは、ポリマー鎖に結合してアミノ基またはアンモニウム基を含むか、または少なくともジメチルジアリルアンモニウムハライドを構成単位として含む水溶液のものであり、例えば第４級窒素含有セルロースエーテル、カチオン性澱粉、カチオン化グアーガム誘導体、ジアリル４級アンモニウム塩／アクリルアミド共重合物及び４級化ポリビニルピロリドン誘導体などが挙げられる。第４級窒素含有セルロースエーテルとしては例えば次の一般式（１）で表されるものが好ましい。
　【００１８】
　【化１】
　式（１）中、Ａはアンヒドログルコース単位の残基を示し、ｆは５０〜２００００の整数であり、各Ｒ１は、それぞれ次の一般式（２）で表される置換基を示す。
　【００１９】
　【化２】
　式（２）中、Ｒ２，Ｒ３は炭素数２又は３のアルキレン基、ｇは０〜１０の整数、ｈは０〜３の整数、ｉは０〜１０の整数、Ｒ４は炭素数１〜３のアルキレン基またはヒドロキシアルキレン基、Ｒ５，Ｒ６，Ｒ７は同じかまたは異なっており炭素数１０までのアルキル基、アリール基またはアラルキル基を示し、また式中の窒素原子を含んで複素環を形成してもよい。Ｘ１は陰イオン（塩素、臭素、沃素、硫酸、スルホン酸、メチル硫酸、リン酸、硝酸等）を示す。本発明に用いられる第４級窒素含有セルロースエーテルのカチオン置換度は、０．０１〜１すなわちアンヒドログルコース単位当りのｈの平均値は、０．０１〜１が好ましく、さらに好ましくは０．０２〜０．５である。また、ｇ＋ｉの合計は平均１〜３である。カチオン置換度は、０．０１未満では十分でなく、また１を超えてもかまわないが反応収率の点より１以下が好ましい。ここで用いる第４級窒素含有セルロースエーテルの分子量は約１０００００〜３００００００の間が好ましい。市販品としては、ライオン（株）のレオガードＧ，ＧＰ、ユニオンカーバイド社のポリマーＪＲ−１２５，ＪＲ−４００，ＪＲ−３０Ｍ，ＬＲ−４００，ＬＲ−３０Ｍなどが挙げられる。
　【００２０】
　その他の第４級窒素含有セルロースエーテルとしてはヒドロキシエチルセルロースジメチルジアリルアンモニウムクロリドが挙げられ、市販品としてはナショナルスターチアンドケミカル社のセルコートＨ−１００，Ｌ−２００などが挙げられる。
　【００２１】
　カチオン性澱粉としては次の一般式（３）で表されるものが好ましい。
　【化３】
　式（３）中、Ｂは澱粉残基、Ｒ８はアルキレン基またはヒドロキシアルキレン基、Ｒ９、Ｒ１０、Ｒ１１は同じかまたは異なっており、炭素数１０以下のアルキル基、アリール基またはアラルキル基を示し、また式中の窒素原子を含んで複素環を形成してもよい。Ｘ２は陰イオン（塩素、臭素、沃素、硫酸、スルホン酸、メチル硫酸、リン酸、硝酸等）、ｊは正の整数を示す。本発明で用いられるカチオン性澱粉のカチオン置換度は０．０１〜１、すなわち無水グルコース単位当たり０．０１〜１、好ましくは０．０２〜０．５個のカチオン基が導入されたものが好ましい。カチオン置換度が０．０１未満では十分でなく、また１を超えてもかまわないが反応収率の点より１以下が好ましい。
　【００２２】
　カチオン化グアーガム誘導体としては、次の一般式（４）で表されるものが好ましい。
　【化４】
　式（４）中、Ｄはグアーガム残基、Ｒ１２はアルキレン基またはヒドロキシアルキレン基Ｒ１３，Ｒ１４，Ｒ１５は同じかまたは異なっており、炭素数１０以下のアルキル基、アリール基またはアラルキル基を示し、また式中の窒素原子を含んで複素環を形成してもよい。Ｘ３は陰イオン（塩素、臭素、沃素、硫酸、スルホン酸、メチル硫酸、リン酸、硝酸等）、ｋは正の整数を示す。本発明で用いられるカチオン化グアーガム誘導体のカチオン置換度は０．０１〜１が好ましく、特に０．０２〜０．５個のカチオン基が、糖単位に導入されたものが好ましい。例えば、特公昭５８−３５６４０号、特公昭６０−４６１５８号及び、特開昭５８−５３９９６号公報に記載され、ＲＨＯＮＥ−ＰＯＵＬＥＮＣ社のジャグアーＣ−１３Ｓ，同−１４Ｓ，同−１７，同−２１０，同−１６２，ＨＩ−ＣＡＲＥ１０００として市販されている。
　【００２３】
　カチオン性のジアリル４級アンモニウム塩／アクリルアミド共重合物としては、次の一般式（５）または（６）で示されるものが好ましい。
　【化５】
　【化６】
　式（５）及び（６）中、Ｒ１６，Ｒ１７は同じかまたは異なっており、水素、アルキル基（炭素数１〜１８）、フェニル基、アリール基、ヒドロキシアルキル基、アミドアルキル基、シアノアルキル基、アルコキシアルキル基、またはカルボアルコキシアルキル基、Ｒ１８，Ｒ１９，Ｒ２０，Ｒ２１は同じかまたは異なっており、水素、低級アルキル基（炭素数１〜３）またはフェニル基、Ｘ４は陰イオン（塩素、臭素、沃素、硫酸、スルホン酸、メチル硫酸、リン酸、硝酸等）、ｐは１〜５０の整数、ｑは０〜５０の整数、ｒは１５０〜８０００の整数を示す。本発明で用いられるジアリル４級アンモニウム塩／アクリルアミド共重合物の分子量としては約３万〜２００万が好ましく、さらに好ましくは１０万〜１００万の範囲である。市販品としては、メルク社のマーコート１００，５５０，２８０などが挙げられる。
　【００２４】
　４級化ポリビニルピロリドン誘導体としては次式（７）で示されるものが好ましい。
　【化７】
　式（７）中、Ｒ２２は水素原子または炭素数１〜３のアルキル基、Ｒ２３，Ｒ２４，Ｒ２５は同じかまたは異なっており、水素原子、炭素数１〜４のアルキル基、ヒドロキシアルキル基、アミドアルキル基、シアノアルキル基、アルコキシアルキル基またはカルボアルコキシアルキル基、Ｙ１は酸素原子またはアミド結合中のＮＨ基、Ｘ５は陰イオン（塩素、臭素、沃素、硫酸、スルホン酸、炭素数１〜４のアルキル硫酸、リン酸、硝酸等）、ｕは１〜１０の整数、ｓ＋ｔ＝２０〜８０００の整数を示す。本発明で用いられる４級化ポリビニルピロリドン誘導体の分子量としては１万〜２００万が好ましく、さらに好ましくは５万〜１５０万である。市販品としては、アイエスピー・ジャパン（株）のガフコート７３４，７５５，７５５Ｎなどが挙げられる。
　【００２５】
　これらの中でも第４級窒素含有セルロースエーテルおよびジアリル４級アンモニウム塩／アクリルアミド共重合物が好ましい。
　【００２６】
　また、カチオン性界面活性剤としては、下記（８）式に示す一般式で表されるものが用いられる。例えば、塩化アルキルトリメチルアンモニウム、塩化ラウリルトリメチルアンモニウム、塩化セチルトリメチルアンモニウム、臭化セチルトリメチルアンモニウム、塩化ステアリルトリメチルアンモニウム、臭化ステアリルトリメチルアンモニウム、臭化ラウリルトリメチルアンモニウム、塩化ジアルキルジメチルアンモニウム、塩化ジセチルジメチルアンモニウム、塩化ジステアリルジメチルアンモニウム、塩化ジココイルジメチルアンモニウム、塩化ミリスチルジメチルベンジルアンモニウム、塩化ステアリルジメチルベンジルアンモニウムなどが挙げられる。
　【００２７】
　【化８】
　（８）式中、Ｒ２６，Ｒ２７，Ｒ２８，Ｒ２９の１〜２個は直鎖または分枝鎖の炭素数８〜２０の長鎖アルキル基、または長鎖ヒドロキシアルキル基を示し、残余は炭素数１〜３のアルキル基またはヒドロキシアルキル基を示し、Ｘはハロゲン原子または炭素数１〜２のアルキル硫酸基を示す。
　【００２８】
　カチオン性界面活性剤またはカチオン化ポリマーの配合量は使用時の濃度で、０．００１〜１０重量％であり、０．００１重量％よりも少ないと十分な毛髪保護効果および均一な脱色効果が得られず、１０重量％を越えても、その効果は変わらず経済的ではない。なお、配合量の下限については、０．０１重量％が好ましく、０．０１重量％以上配合することにより、より優れた毛髪保護効果および均一な脱色効果が得られる。上限については、５重量％が好ましく、５重量％を越えた場合は毛髪保護効果および均一な脱色効果の上昇は少なくなる。
　【００２９】
　また、これらの脱色剤は、いずれも、過硫酸塩、酸化剤およびアルカリ剤
としてアンモニア
　【００３０】
　界
　【００３１】
　【実施例】
　次に、本発明を実施例によりさらに具体的に説明するが、本発明は、その要旨を越えない限り実施例の記述に限定されるものではない。
　【００３２】
実施例１〜２および比較例１〜４
（粉末活性化剤）　　　　　　　　　　　　　　重量％
　過硫酸ナトリウム　　　　　　　　　　　　　　６０
　硫酸ナトリウム　　　　　　　　　　　　　　　２０
　ラウリル硫酸ナトリウム　　　　　　　　　　　　４
　カルボキシメチルセルロース　　　　　　　　　１０
　ＥＤＴＡ二ナトリウム　　　　　　　　　　　　　１
　第４級窒素含有セルロースエーテル　　　　　　　５
　　　　　　　　　　　　　　　　　　　　　計１００
　上記組成の粉末活性化剤を調製し、この活性化剤２５ｇを表１の実施例１〜２および比較例１〜４の第２剤（酸化剤）溶液１００ｍｌに溶解後、表１の対応する実施例１〜２および比較例１〜４の第１剤（アルカリ剤）２５ｇを加えて良く混合して試験液とし、脱色試験を行った。毛髪脱色力の強さ、均一性、毛髪の仕上がりおよび毛髪の損傷についての評価結果を同じく表１に示した。
　【００３３】
　【表１】
　【００３４】
＜評価方法＞
（１）毛髪脱色力の強さ
　上記の粉末活性化剤を各極酸化剤に溶かした処理液を、１００名のパネラーから採取した毛束に塗布し、常温で２０分放置した。次に脱色した毛束をラウリル硫酸ナトリウム１０％溶液で２回シャンプーし、乾燥する操作を３０回繰り返した。対照として、市販のアルカリ剤および過酸化水素水からなる２剤式の毛髪脱色剤と比較して、次の基準で評価し、最も多いものを表に結果として示した。
　○…対照と比較してかなり明るくなる。
　△…対照と比較してやや明るくなる。
　×…対照と比較して明るさに差が認められない。
（２）毛髪脱色力の均一性
　処理液を毛束に塗布し、各々２０℃および４０℃で２０分放置した。次に脱色した毛束をラウリル硫酸ナトリウム１０％溶液で２回シャンプーし、乾燥する操作を３０回繰り返した。２０℃および４０℃で脱色した毛束を比較して、次の基準で評価し、最も多いものを表に結果として示した。
　◎…２０℃および４０℃で脱色した毛髪の間に、脱色力の差が全くない。
　○…２０℃および４０℃で脱色した毛髪の間に、脱色力の差がほとんどない。
　△…４０℃で脱色した毛髪が、２０℃で脱色した毛髪に比べてやや明るい。
　×…４０℃で脱色した毛髪が、２０℃で脱色した毛髪に比べてかなり明るい。
（２０℃の方が脱色力弱い。）
（３）毛髪の仕上がり
　処理液を毛束に塗布し、常温で２０分放置した。次に脱色した毛束を市販シャンプーを用いて洗髪し、次の基準で評価し、最も多いものを表に結果として示した。
　○…艶のあるしっとりとした仕上がり。
　△…やや艶に欠け、ややパサツキやゴワツキがある。
　×…艶がなくパサツキやゴワツキがある。
（４）毛髪の損傷
　脱色の前後の毛髪表面を電子顕微鏡（倍率３０００倍）で観察し、毛小皮の損傷の程度を、次の基準で評価し、最も多いものを表に結果として示した。
　○…脱色前と同じで損傷は認められない。
　△…毛小皮にわずかの隆起、亀裂、剥離などの損傷が認められる。
　×…毛小皮にかなりの隆起、亀裂、剥離などの損傷が認められる。
　【００３５】
　
参考例１
（第１剤）　　　　　　　　　　　　　　　　　重量％
　流動パラフィン　　　　　　　　　　　　　　１０
　オリーブ油　　　　　　　　　　　　　　　　　５
　ポリオキシエチレン（１５）セチルエーテル　　５
　塩化ステアリルトリメチルアンモニウム　　　　３
　第４級窒素含有セルロースエーテル　　　　　　２
　アンモニア（２８％）　　　　　　　　　　　　５
　ステアリルアルコール　　　　　　　　　　　１０
　（使用時濃度４．０％）
　精製水で１００％にする。
（第２剤）　　　　　　　　　　　　　　　　　重量％
　過酸化水素（３５％）　　　　　　　　　　　１７
　精製水で１００％にする。
（粉末活性化剤）　　　　　　　　　　　　　　重量％
　過硫酸ナトリウム　　　　　　　　　　　　　５０
　硫酸アンモニウム　　　　　　　　　　　　　１０
　炭酸ナトリウム　　　　　　　　　　　　　　２０
　ラウリル硫酸ナトリウム　　　　　　　　　　　４
　カルボキシメチルセルロース　　　　　　　　１０
　ＥＤＴＡ二ナトリウム　　　　　　　　　　　　１
　加水分解コラーゲン末　　　　　　　　　　　　５
　　　　　　　　　　　　　　　　　　　　計１００
　上記組成の３剤式脱色剤を用い、第１剤５０ｇに活性化剤２５ｇを添加し、次いで第２剤５０ｇと混合したものを毛髪に塗布して脱色処理を行ったところ、実施例１、２と同様に毛髪の脱色効果、仕上がりに優れた結果を得た。
　【００３６】
参考例２
（第１剤）　　　　　　　　　　　　　　　　　重量％
　流動パラフィン　　　　　　　　　　　　　　　５
　スクワラン　　　　　　　　　　　　　　　　１０
　ポリオキシエチレン（１５）セチルエーテル　　５
　塩化ステアリルトリメチルアンモニウム　　　　３
　加水分解ケラチン末　　　　　　　　　　　　　５
　アンモニア（２８％）　　　　　　　　　　　　５
　ベヘニルアルコール　　　　　　　　　　　　１０
　（使用時濃度２．９％※）
　ポリエチレングリコール４００　　　　　　　１０
　（使用時濃度２．９％）
　精製水で１００％にする。
（第２剤）　　　　　　　　　　　　　　　　　重量％
　ポリオキシエチレン（４）ノニルフェニルエーテル
　　　　　　　　　　　　　　　　　　　　　　　５
　ポリオキシエチレン（９）ノニルフェニルエーテル
　　　　　　　　　　　　　　　　　　　　　　　５
　過酸化水素（３５％）　　　　　　　　　　　１７
　セタノール　　　　　　　　　　　　　　　　　３
　（使用時濃度１．７％※）
　精製水で１００％にする。
（粉末活性化剤）　　　　　　　　　　　　　重量％
　過硫酸ナトリウム　　　　　　　　　　　　　５０
　硫酸アンモニウム　　　　　　　　　　　　　１０
　炭酸ナトリウム　　　　　　　　　　　　　　２０
　ラウリル硫酸ナトリウム　　　　　　　　　　　４
　カルボキシメチルセルロース　　　　　　　　１０
　ＥＤＴＡ二ナトリウム　　　　　　　　　　　　１
　第４級窒素含有セルロースエーテル　　　　　　５
　　　　　　　　　　　　　　　　　　　　計１００
　（※　高級アルコール使用時濃度：合計４．６％）
　上記組成の３剤式脱色剤を用い、第１剤５０ｇに活性化剤２５ｇを添加し、次いで第２剤１００ｇと混合したものを毛髪に塗布して脱色処理を行ったところ、実施例１、２と同様に毛髪の脱色効果、仕上がりに優れた結果を得た。
　【００３７】
参考例３
（第１剤）　　　　　　　　　　　　　　　　　重量％
　ポリオキシエチレン（１０）ノニルフェニルエーテル
　　　　　　　　　　　　　　　　　　　　　　　５
　ポリオキシエチレン（６）トデシルエーテル　　４
　オレイン酸　　　　　　　　　　　　　　　　３５
　第４級窒素含有セルロースエーテル　　　　　　２
　ＥＤＴＡ二ナトリウム　　　　　　　　　　　　１
　アンモニア（２８％）　　　　　　　　　　　　８
　イソプロピルアルコール　　　　　　　　　　１０
　（使用時濃度４．０％）
　精製水で１００％にする。
（第２剤）　　　　　　　　　　　　　　　　　重量％
　ポリオキシエチレン（４）ノニルフェニルエーテル
　　　　　　　　　　　　　　　　　　　　　　　５
　ポリオキシエチレン（９）ノニルフェニルエーテル
　　　　　　　　　　　　　　　　　　　　　　　５
　過酸化水素（３５％）　　　　　　　　　　　１７
　セタノール　　　　　　　　　　　　　　　　　３
　（使用時濃度１．２％）
　精製水で１００％にする。
（粉末活性化剤）　　　　　　　　　　　　　　重量％
　過硫酸ナトリウム　　　　　　　　　　　　　５０
　硫酸アンモニウム　　　　　　　　　　　　　１０
　炭酸ナトリウム　　　　　　　　　　　　　　２０
　ラウリル硫酸ナトリウム　　　　　　　　　　　４
　カルボキシメチルセルロース　　　　　　　　１０
　ＥＤＴＡ二ナトリウム　　　　　　　　　　　　１
　加水分解コラーゲン末　　　　　　　　　　　　５
　　　　　　　　　　　　　　　　　　　　計１００
　上記組成の３剤式脱色剤を用い、第１剤５０ｇに活性化剤２５ｇを添加し、次いで第２剤５０ｇと混合したものを毛髪に塗布して脱色処理を行ったところ、実施例１、２と同様に毛髪の脱色効果、仕上がりに優れた結果を得た。
　【００３８】
参考例４
（第１剤）　　　　　　　　　　　　　　　　　重量％
　ポリオキシエチレン（１０）オレイルエーテル１５
　ポリオキシエチレン（５０）ノニフェニルエーテル
　　　　　　　　　　　　　　　　　　　　　　　５
　オレイン酸　　　　　　　　　　　　　　　　２５
　第４級窒素含有セルロースエーテル　　　　　　２
　モノエタノールアミン　　　　　　　　　　　１０
　エタノール　　　　　　　　　　　　　　　　２０
　（使用時濃度５．７％）
　精製水で１００％にする。
（第２剤）　　　　　　　　　　　　　　　　　重量％
　ポリオキシエチレン（２）ノニルフェニルエーテル
　　　　　　　　　　　　　　　　　　　　　　　１
　ポリオキシエチレン（１０）ノニルフェニルエーテル
　　　　　　　　　　　　　　　　　　　　　　　１
　ポリオキシエチレン（１０）セチルエーテル　　１
　エチレングリコールモノステアレート　　　　　２
　過酸化水素（３５％）　　　　　　　　　　　１７
　セタノール　　　　　　　　　　　　　　　　　５
　（使用時濃度２．９％）
　精製水で１００％にする。
（粉末活性化剤）　　　　　　　　　　　　　　重量％
　過硫酸ナトリウム　　　　　　　　　　　　　５０
　硫酸アンモニウム　　　　　　　　　　　　　１０
　炭酸ナトリウム　　　　　　　　　　　　　　２０
　ラウリル硫酸ナトリウム　　　　　　　　　　　４
　カルボキシメチルセルロース　　　　　　　　１０
　ＥＤＴＡ二ナトリウム　　　　　　　　　　　　１
　加水分解コラーゲン末　　　　　　　　　　　　５
　　　　　　　　　　　　　　　　　　　　計１００
　上記組成の３剤式脱色剤を用い、第１剤５０ｇに活性化剤２５ｇを添加し、次いで第２剤１００ｇと混合したものを毛髪に塗布して脱色処理を行ったところ、実施例１、２と同様に毛髪の脱色効果、仕上がりに優れた結果を得た。
　【００３９】
　【００４０】
参考例５
（粉末活性化剤）　　　　　　　　　　　　　　重量％
　過硫酸アンモニウム　　　　　　　　　　　　２５
　過硫酸カリウム　　　　　　　　　　　　　　２０
　メタケイ酸ナトリウム　　　　　　　　　　　２０
　ラウリル硫酸ナトリウム　　　　　　　　　　　４
　カルボキシメチルセルロース　　　　　　　　２０
　ＥＤＴＡ二ナトリウム　　　　　　　　　　　　１
　第４級窒素含有セルロースエーテル　　　　　　５
　加水分解コラーゲン末　　　　　　　　　　　　５
　　　　　　　　　　　　　　　　　　　　計１００
（第２剤）　　　　　　　　　　　　　　　　　重量％
　ポリオキシエチレン（２）ノニルフェニルエーテル
　　　　　　　　　　　　　　　　　　　　　　　１
　ポリオキシエチレン（１０）ノニルフェニルエーテル
　　　　　　　　　　　　　　　　　　　　　　　１
　ポリオキシエチレン（１０）セチルエーテル　　１
　エチレングリコールモノステアレート　　　　　２
　過酸化水素（３５％）　　　　　　　　　　　１７
　セタノール　　　　　　　　　　　　　　　　　５
　（使用時濃度４．０％）
　ポリエチレングリコール４００　　　　　　　　５
　（使用時濃度４．０％）
　精製水で１００％にする。
　上記組成の２剤式脱色剤を用い、第２剤１００ｇに活性化剤２５ｇを混合したものを毛髪に塗布して脱色処理を行ったところ、実施例１、２と同様に毛髪の脱色効果、仕上がりに優れた結果を得た。
　【００４１】
　【発明の効果】
　温